(57)【要約】【課題】撮像素子全体のサイズを増大させることなく、端部の受光量低下を防止可能にすることができる撮像素子、画像読取装置、画像形成装置及び画像読取方法を提供することを目的とする。【解決手段】受光する光の色毎に一方向に配列されて光電変換を行う複数の光電変換部を有し、前記光電変換部は、前記配列上の位置に応じてそれぞれ受光領域の面積が異なることを特徴とする。より好ましくは、受光する光の色が異なる前記光電変換部間にシールド素子をさらに有する。【選択図】図６
2015041679.tif 000002
【特許請求の範囲】
【請求項１】
受光する光の色毎に一方向に配列されて光電変換を行う複数の光電変換部を有し、
前記光電変換部は、
前記配列上の位置に応じてそれぞれ受光領域の面積が異なること
を特徴とする撮像素子。
【請求項２】
受光する光の色が異なる前記光電変換部間にシールド素子をさらに有すること
を特徴とする請求項１に記載の撮像素子。
【請求項３】
前記配列上の端部側に位置する前記光電変換部は、
受光領域の面積が、前記配列上の中央側に位置する前記光電変換部の受光領域の面積以上であること
を特徴とする請求項１又は２に記載の撮像素子。
【請求項４】
前記配列上の端部側に位置する前記光電変換部は、
前記光電変換部の配列方向に交差する方向の受光領域の長さが、前記配列上の中央側に位置する前記光電変換部の受光領域の長さ以上であること
を特徴とする請求項３に記載の撮像素子。
【請求項５】
請求項１乃至４のいずれか１項に記載の撮像素子と、
前記撮像素子上に像面を形成するレンズと
を有し、
前記光電変換部は、
前記レンズにおけるコサイン四乗則に従う光量低下を補正するように、それぞれ受光領域の面積が設定されていること
を特徴とする画像読取装置。
【請求項６】
請求項１乃至４のいずれか１項に記載の撮像素子と、
前記撮像素子上に像面を形成するレンズと
を有し、
前記光電変換部は、
前記レンズのザイデル収差及び色収差の少なくともいずれかを補正するように、それぞれの配列ピッチが設定されていること
を特徴とする画像読取装置。
【請求項７】
前記光電変換部の色毎の受光を、露光タイミング及び露光時間の少なくともいずれかを制御することによって補正する制御部をさらに有すること
を特徴とする請求項５又は６に記載の画像読取装置。
【請求項８】
前記配列上の位置に応じて前記光電変換部それぞれの受光領域の面積が異なることに起因して生じる解像度の差異を画像処理によって補正する画像処理部をさらに有すること
を特徴とする請求項５乃至７のいずれか１項に記載の画像読取装置。
【請求項９】
請求項５乃至８のいずれか１項に記載の画像読取装置と、
前記画像読取装置が読取った画像を記録媒体に形成する画像形成部と
を有することを特徴とする画像形成装置。
【請求項１０】
受光する光の色毎に一方向に配列され、前記配列上の位置に応じてそれぞれ受光領域の面積が異なる複数の光電変換部により光電変換する工程と、
前記光電変換部の色毎の受光を、露光タイミング及び露光時間の少なくともいずれかを制御することによって補正する工程と
を含む画像読取方法。
【発明の詳細な説明】
【技術分野】
【０００１】
本発明は、撮像素子、画像読取装置、画像形成装置及び画像読取方法に関する。
【背景技術】
【０００２】
スキャナやデジタルカメラの撮像素子として、ＣＣＤ（Charge  Coupled  Device）やＣＭＯＳ（Complementary  Metal  Oxide  Semiconductor）センサが使用されている。これらの撮像素子は、撮像面に画素が一次元配列又は二次元配列されており、レンズ光学系を用いて撮像面に被写体を結像して光電変換を行う。このとき、レンズに入射する光の角度が光軸に対して大きいほどコサイン四乗則に従って光量が低下するため、撮像領域の端部ほど光量が低下してシェーディング特性が悪化する。さらに、近年はスキャナやデジタルカメラの小型化が進み、結像光学系のレンズ入射角は大きくなる傾向にあり、撮像領域端部での光量低下がより顕著となりやすい。
【０００３】
特許文献１には、受光素子が水平・垂直両方向に一定間隔で配置され、ぞれぞれの受光素子の受光領域の面積が等しく、ほぼ中央に配置された受光素子等間隔配置部と、受光素子等間隔配置部を中心として対称となる周辺位置に配置され、各受光素子の受光領域の面積を、受光素子等間隔配置部から離れるに従って徐々に大きい面積とした受光素子拡大配置部とを有する撮像素子が開示されている。
【発明の概要】
【発明が解決しようとする課題】
【０００４】
しかしながら、特許文献１に記載された撮像素子は、二次元エリアセンサであるために、各画素の周囲に回路や配線を設ける必要があり、撮像素子全体のサイズを増大させることなく画素の受光面積を増大させることは困難であるという問題があった。
【０００５】
本発明は、上記に鑑みてなされたものであって、撮像素子全体のサイズを増大させることなく、端部の受光量低下を防止可能にすることができる撮像素子、画像読取装置、画像形成装置及び画像読取方法を提供することを目的とする。
【課題を解決するための手段】
【０００６】
上述した課題を解決し、目的を達成するために、本発明は、受光する光の色毎に一方向に配列されて光電変換を行う複数の光電変換部を有し、前記光電変換部は、前記配列上の位置に応じてそれぞれ受光領域の面積が異なることを特徴とする。
【発明の効果】
【０００７】
本発明によれば、撮像素子全体のサイズを増大させることなく、端部の受光量低下を防止可能にすることができるという効果を奏する。
【図面の簡単な説明】
【０００８】
【図１】図１は、撮像素子の端部において中央部よりも受光量が低下する状態（コサイン四乗則）を示す図である。
【図２】図２は、撮像素子の画素配列例を示す図である。
【図３】図３は、実施の形態にかかる画像形成装置の構成を示す図である。
【図４】図４は、画像読取装置の構成を示す図である。
【図５】図５は、スキャナにおける撮像素子及びその周辺の構成を示すブロック図である。
【図６】図６は、３ラインカラーイメージセンサである撮像素子の画素配列及びその周辺の構成等を模式的に示した図である。
【図７】図７は、撮像素子の第１変形例の画素配列等を模式的に示した図である。
【図８】図８は、撮像素子の第２変形例の画素配列等を模式的に示した図である。
【図９】図９は、撮像素子の第３変形例の画素配列等を模式的に示した図である。
【図１０】図１０は、撮像素子の第４変形例の画素配列等を模式的に示した図である。
【発明を実施するための形態】
【０００９】
まず、本発明をするに至った背景について説明する。図１は、撮像素子の端部において中央部よりも受光量が低下する状態（コサイン四乗則）を示す図である。点光源が微小平面を照明する場合、微小平面と点光源を結ぶ直線と、微小平面の法線とがなす角度をθとすると、θが大きくなるほど微小平面での照度は係数ｃｏｓ４θを乗じた分だけ低下するコサイン四乗則と呼ばれる幾何光学的法則がある。
【００１０】
図１に示すように、レンズ結像光学系によって被写体を撮像する場合、上述したコサイン四乗則に従って撮像素子の端部の受光光量が低下する。ここでは、レンズの開口が微小平面、光軸がその法線、被写体のある一点が点光源に相当する。被写体のうち光軸に近い部分はθが小さく、被写体の端部はθが大きい。そのため、被写体の端部ほど撮像素子上での光量が低下する。つまり、シェーディング特性が悪化する。
【００１１】
図２は、撮像素子の画素配列例を示す図である。各画素は、例えばそれぞれフォトダイオードを含み、図２に四角形で示した受光領域によりそれぞれ受光して光電変換を行う光電変換部を有する。
【００１２】
図２（ａ）は、一般的な二次元エリアイメージセンサの画素配列例である。図２（ａ）に示すように、複数の画素の受光領域が等面積かつ等間隔で二次元に配列される場合、コサイン四乗則に従い端部光量が低下しシェーディング特性が劣化する。なお、隣接する画素の受光領域間には、各画素の信号配線や駆動回路等が配置されている。信号配線や駆動回路等は、遮光部となって受光領域面積や画素ピッチを制限している。
【００１３】
図２（ｂ）は、画素の配列ピッチを保ったまま、受光領域面積を増大させた二次元エリアイメージセンサの画素配列例である。図２（ｂ）に示した画素配列例では、端部での画素面積を増大してシェーディング特性を改善させている。一方、端部では画素の間隔が小さくなるため、画素間のクロストークが増大してしまう。さらに、画素周辺には画素駆動回路や配線が設けられているため、受光領域面積の増大に限度がある。
【００１４】
図２（ｃ）は、画素の間隔を保ったまま、受光領域面積を増大させた二次元エリアイメージセンサの画素配列例である。図２（ｃ）に示した画素配列例では、端部での画素面積を増大してシェーディング特性を改善させている。一方、画素のピッチを増大させていることにより、撮像素子全体のサイズは増大している。さらに、画素ピッチが変わると、中央部と端部とでは、倍率が異なってしまうため、倍率を補正する必要がある。
【００１５】
図２（ｄ）は、一般的な３ラインカラーイメージセンサ（３ラインセンサ）の画素配列例である。図２（ｄ）に示すように、一般的な３ラインカラーイメージセンサでは、カラーフィルタを介して受光するＲ，Ｇ，Ｂそれぞれの光の色毎に、複数の画素の受光領域が連続的に等面積かつ等間隔で一方向に配列されている。画素駆動回路や配線などは、各画素列（Ｒ，Ｇ，Ｂのラインセンサ）と平行な非画素領域（画素間）に配置されている。
【００１６】
３ラインカラーイメージセンサによって二次元画像を読取る場合、色毎の画素の配列方向を主走査方向として、３ラインカラーイメージセンサを副走査方向に走査させる。各色の配置が異なることによる読取位置のずれは、読取タイミングをずらして合成することによって補正される。なお、以下で述べる実施形態は、いずれも３ラインのカラーイメージセンサを用いた画像形成装置を例として説明しているが、イメージセンサは３ラインに限定されない。
【００１７】
（実施形態）
以下に添付図面を参照して、画像形成装置の実施形態を詳細に説明する。図３は、実施の形態にかかる画像形成装置１の構成を示す図である。図３に示すように、画像形成装置１は、画像読取装置としての機能を有する自動原稿搬送装置（ＡＤＦ：Auto  Document  Feeder）１０と、給紙部２と、画像形成部３とを備えている。
【００１８】
給紙部２は、用紙サイズの異なる記録紙（記録媒体）を収納する給紙カセット２１，２２と、給紙カセット２１，２２に収納された記録紙を画像形成部３の画像形成位置まで搬送する各種ローラからなる給紙手段２３とを有している。
【００１９】
画像形成部３は、露光装置３１と、感光体ドラム３２と、現像装置３３と、転写ベルト３４と、定着装置３５とを備えている。画像形成部３は、ＡＤＦ１０内部の画像読取部により読み取られた原稿の画像データに基づいて、露光装置３１により感光体ドラム３２を露光して感光体ドラム３２に潜像を形成する。現像装置３３は、それぞれ感光体ドラム３２に異なる色のトナーを供給して現像する。そして、画像形成部３は、転写ベルト３４により感光体ドラム３２に現像された像を給紙部２から供給された記録紙に転写した後、定着装置３５により記録紙に転写されたトナー画像のトナーを溶融して、記録紙にカラー画像を定着するようになっている。
【００２０】
（画像読取装置）
次に、例えば画像形成装置が有する画像読取装置例について説明する。図４は、画像読取装置１２の構成を示す図である。画像読取装置１２は、スキャナ１００と自動原稿給送装置（ＡＤＦ）１２０とを有する。画像読取装置１２は、図３に示した画像形成装置１におけるＡＤＦ１０に代えて用いられてもよい。
【００２１】
スキャナ１００は、光源１０２からの照射光によって撮像対象物である原稿を照明し、その原稿からの反射光を３ラインカラーイメージセンサである撮像素子４が電気信号に変換して、原稿の画像データを読取る。このスキャナ１００は、図４に示すように、上面に原稿を載置するコンタクトガラス１０１を備えている。さらに、このスキャナ１００は、原稿露光用の例えばＬＥＤを有する光源１０２及び第１反射ミラー１０３からなる第１キャリッジ１０６と、第２反射ミラー１０４及び第３反射ミラー１０５からなる第２キャリッジ１０７とを備えている。
【００２２】
また、このスキャナ１００は、第３反射ミラー１０５で反射された光を撮像素子４に結像させるためのレンズユニット１０８を備えている。さらに、このスキャナ１００は、読み取り光学系等による各種の歪みを補正するためなどに用いる基準白板等の基準濃度を有する基準部材１１０と、シートスルー読取用スリット１１１も備えている。基準部材１１０は、光源１０２によって照明可能であり、原稿照明位置となるコンタクトガラス１０１及びシートスルー読取用スリット１１１とは、異なる位置に設けられている。
【００２３】
撮像素子４は、基板４０に実装されており、コンタクトガラス１０１上に載置された原稿又はシートスルー読取用スリット１１１を通過する原稿と、基準部材１１０のいずれからの反射光も入射光とすることが可能にされている。
【００２４】
スキャナ１００の上部には、ＡＤＦ１２０が搭載されており、このＡＤＦ１２０をコンタクトガラス１０１に対して開閉できるように、図示しないヒンジ等が設けられている。
【００２５】
ＡＤＦ１２０は、複数枚の原稿からなる原稿束を載置可能な原稿載置台としての原稿トレイ１２１を備えている。また、このＡＤＦ１２０は、原稿トレイ１２１に載置された原稿束から原稿を１枚ずつ分離して、シートスルー読取用スリット１１１へ向けて自動給送する給送ローラ１２２を含む分離・給送手段も備えている。
【００２６】
スキャナ１００は、走査時には第１キャリッジ１０６及び第２キャリッジ１０７が図示しないステッピングモータによって駆動されて副走査方向Ａに移動する。また、画像読取装置１２は、シートスルーによる原稿読取り時には、第１キャリッジ１０６及び第２キャリッジ１０７がシートスルー読取用スリット１１１の下へ移動する。そして、画像読取装置１２は、ＡＤＦ１２０に載置された原稿を給送ローラ１２２によってＢの方向へ搬送することにより、シートスルー読取用スリット１１１の位置において原稿を読取っていく。
【００２７】
図５は、スキャナ１００における撮像素子４及びその周辺の構成を例示するブロック図である。発振器４００が出力するタイミングクロックに同期して、タイミング制御部４０２は、撮像素子４、アナログ処理部４０４、Ａ／Ｄ変換部４０６及びＩ／Ｆ（インターフェース）部４０８を制御する。また、タイミング制御部４０２は、光源１０２（図４）を駆動する光源駆動部（図示せず）の動作タイミングも制御する。
【００２８】
撮像素子４は、ＣＣＤ又はＣＭＯＳセンサなどであり、原稿に照射された光の反射光を光電変換し、光電変換により生成したアナログ画像データをアナログ処理部４０４に対して出力する。
【００２９】
アナログ処理部４０４は、アナログ画像データに対してサンプルホールド処理、黒レベル補正などの各種画像処理を施し、Ａ／Ｄ変換部４０６に対して出力する。Ａ／Ｄ変換部４０６は、入力されたアナログ画像データをデジタル画像データに変換し、Ｉ／Ｆ部４０８に対して出力する。Ｉ／Ｆ部４０８は、入力されたデジタル画像データを所定の伝送パターンに変換し、画像処理部４１０に対して出力する。画像処理部４１０は、例えば撮像素子４の端部における光電変換により生成されたアナログ画像データなどに対して所定の画像処理（後述）を行う。
【００３０】
なお、撮像素子４、タイミング制御部４０２、アナログ処理部４０４、Ａ／Ｄ変換部４０６及びＩ／Ｆ部４０８の一部又は全部は、例えば１つのチップ内に構成されてもよい。また、画像処理部４１０は、図４に示した基板４０に実装されていてもよいし、図３に示した画像形成部３内に設けられてもよい。
【００３１】
次に、撮像素子４の画素配列について詳述する。図６は、３ラインカラーイメージセンサである撮像素子４の画素配列及びその周辺の構成等を模式的に示した図である。図６において、各画素は、例えばそれぞれフォトダイオードを含み、四角形で示した受光領域４５０によりそれぞれ受光して光電変換を行う光電変換部を有する。つまり、撮像素子４は、光電変換を行う複数の光電変換部がＲ，Ｇ，Ｂの色毎に一方向に配列されている。なお、図６（ａ）は、一方向に配列された複数の光電変換部を上方から見ることにより、光電変換部それぞれの受光領域４５０が見えている状態を示しており、受光領域４５０それぞれが実質的に１つの画素（画素の位置）を示している。
【００３２】
また、撮像素子４は、画素の配列上の端部側に位置する受光領域４５０の配列方向（主走査方向）に略直交する方向（副走査方向）の長さが、画素の配列上の中央側に位置する受光領域４５０の長さ以上となるように構成されている。また、撮像素子４は、画素の配列上の端部側に位置する受光領域４５０の面積が、画素の配列上の中央側に位置する受光領域４５０の面積以上となるように構成されている。よって、撮像素子４は、端部での受光量が増大し、コサイン四乗則に従う端部での受光量低下を補うことができ、シェーディング特性を改善することを可能にする。
【００３３】
また、撮像素子４は、受光する光の色が異なる光電変換部間（即ち図６においては色毎のライン間）に、浮遊電荷を除去するシールド素子４６０を有する。シールド素子４６０は、例えば撮像素子４のグランドと導体とを接続し、画素（受光領域４５０を含む）と絶縁されることによって構成される。つまり、浮遊電荷がシールド素子４６０に吸着してグランドに流れるので、色間のクロストークが抑制される。よって、撮像素子４は、シールド素子４６０が設けられていることにより、色毎の光電変換部の間隔（色間の画素間隔）が端部側で短くなっても、色間クロストークを防止することが可能となっている。
【００３４】
なお、３ラインカラーイメージセンサは、図２（ａ）〜（ｃ）を用いて説明した二次元エリアイメージセンサとは異なり、色毎のラインセンサ間に非画素領域が構成されているため、画素の受光領域４５０の面積に影響を与えることなく、非画素領域にシールド素子４６０を設けることが可能となっている。また、シールド素子４６０は、図６（ａ）に示したように撮像素子４の一端から他端までの全範囲に設けられてもよいし、撮像素子４の端部側のみに設けられてもよい。
【００３５】
図６（ａ）に示した撮像素子４は、主走査方向の画素サイズを変えられていないため、主走査方向の解像度や倍率は変わらない。一方、撮像素子４は、副走査方向では解像度が低下する（倍率は変わらない）。そこで、撮像素子４を有するスキャナ１００は、画像処理により解像度を復元する。
【００３６】
図６（ｂ）に示すように、各画素の受光領域４５０が大きくされた撮像素子４は、主走査方向端部ではライン毎の読取範囲が広くなったためにオーバーラップすることになり、読取データが副走査方向で平滑化される。そこで、画像処理部４１０（図５）は、副走査方向でエッジとなる部分の読取りデータを強調する画像処理を行う。具体的には、画像処理部４１０は、例えばアンシャープマスク処理により、読取データを微分してエッジを強調する。
【００３７】
図６（ｃ）は、画像処理部４１０が行うアンシャープマスク処理の結果を示すグラフである。図６（ｃ）において、原稿の濃度値は細線により、受光領域４５０の拡大による平滑化された読取データは破線により、アンシャープマスク処理後の画像データは太線により示されている。
【００３８】
図６（ｃ）における細線のように原稿の濃度値が変化している場合、撮像素子４の出力は、破線のように平滑化されて変化がなだらかになり、画像がぼやけてしまう。画像処理部４１０は、平滑化されたエッジをアンシャープマスク処理によって強調し、太線のように擬似的に解像度を復元する。また、画像読取装置１２は、この場合のフィルタ半径が画素の主走査方向の位置によって変えられ、受光領域４５０の拡大量に応じて設定されている。
【００３９】
このように、撮像素子４の光電変換部は、一方向の配列上の位置に応じてそれぞれ受光領域の面積が異なるので、撮像素子全体のサイズを増大させることなく、端部の受光量低下を防止可能にすることができる。
【００４０】
（撮像素子４の第１変形例）
図７は、撮像素子４の第１変形例（以下、撮像素子４ａと記す）の画素配列等を模式的に示した図である。図７（ａ）に示すように、撮像素子４ａでは、画素の配列上の端部側であるほど受光領域４５０の間隔及びサイズが同一以上で大きくなっていくように設定されている。撮像素子４ａは、主走査方向の画素のピッチが異なることによって倍率が異なるため、画素の補間処理が必要である。
【００４１】
図７（ｂ）に示すように、撮像素子４ａは、レンズのザイデル収差を補正するような画素間隔（受光領域４５０間隔）にされている。収差のない理想的なレンズを使用した場合は、画素間隔を変えることによって主走査方向の倍率が変わってしまう。実際には、レンズには必ず収差があり、ザイデル収差に合わせた画素間隔にすることにより、逆に主走査方向の倍率を一定にすることが可能である。図７（ｂ）においては、被写体端部の結像関係を破線で示してあり、結像面での像が端部方向にずれるのに合わせて受光領域４５０の位置が決定されている。
【００４２】
（撮像素子４の第２変形例）
図８は、撮像素子４の第２変形例（以下、撮像素子４ｂと記す）の画素配列等を模式的に示した図である。図８に示すように、撮像素子４ｂは、画素間隔が色毎に個別に設定されている。具体的には、撮像素子４ｂは、色収差を補正するように、例えばＲの画素間隔（受光領域４５０間隔）が、Ｇ，Ｂの画素間隔よりも広く設定されている。
【００４３】
また、撮像素子４ｂは、主走査方向の画素の位置に応じて、主走査方向及び副走査方向の両方向に画素サイズ（受光領域４５０のサイズ）が変更されており、シールド素子４６０が設けられて、上述した撮像素子４及び撮像素子４ａが有する効果を兼ね備えている。
【００４４】
（撮像素子４の第３変形例）
図９は、撮像素子４の第３変形例（以下、撮像素子４ｃと記す）の画素配列等を模式的に示した図である。図９（ａ）に示すように、撮像素子４ｃの中央に配置されたＧのラインセンサは、各画素の中央を基準にして、画素の配列上の端部側に位置する受光領域４５０の配列方向（主走査方向）に略直交する方向（副走査方向）の長さが、画素の配列上の中央側に位置する受光領域４５０の長さ以上となるように構成されている。また、撮像素子４ｃのＲ，Ｂのラインセンサは、Ｇ側を基準として、画素の配列上の端部側に位置する受光領域４５０の配列方向に略直交する方向の長さが、画素の配列上の中央側に位置する受光領域４５０の長さ以上となるように構成されている。よって、Ｒ，Ｇのラインセンサの間隔、及びＧ，Ｂのラインセンサの間隔が狭い場合にも、画素周辺回路及びシールド素子４６０をライン間に配置する非画素領域が確保される。
【００４５】
撮像素子４ｃは、Ｒ，Ｂのラインセンサの画素の中心が曲線状に配列されることになる。よって、画素毎に副走査方向の読取タイミングの差異が生じて、読取画像が曲線状に歪んでしまうことを防止する必要がある。そこで、タイミング制御部４０２（図５）は、撮像素子４ｃの画素毎に露光タイミングを制御し、画素が曲線状に配列されることによる副走査方向の読取タイミングの差異を補正する。
【００４６】
図９（ｂ）は、撮像素子４ｃに対してタイミング制御部４０２が制御する露光タイミング例を示すタイミングチャートである。図９（ｂ）に示すように、タイミング制御部４０２は、曲線状に画素の中心が配列されたラインセンサが原稿のある１ラインを読み取る場合、両端部側の画素の露光タイミングを中央部の画素に対して早める。なお、両端部側の画素の露光タイミングを中央部の画素に対して早くするか遅くするかは、画素の配列方法に応じて決定される。
【００４７】
（撮像素子４の第４変形例）
図１０は、撮像素子４の第４変形例（以下、撮像素子４ｄと記す）の画素配列等を模式的に示した図である。撮像素子は、主走査方向端部に行くほど副走査方向の画素サイズが連続的に大きくなることが望ましい。しかしながら、画素サイズを連続的な変化とすると、隣接画素間の変化量がナノメートル単位又はそれ以下となり、変化量が小さすぎて製造が困難になる場合がある。そこで、図１０（ａ）に示すように、撮像素子４ｄは、複数の画素（受光領域４５０）毎に、副走査方向の受光領域４５０の長さが変えられている。
【００４８】
複数の画素毎に、単に副走査方向の受光領域４５０の長さが変えられると、受光領域４５０の長さが変化する境界部分で受光量がステップ変化となるため、画像にスジが発生する等の画質劣化が発生することが考えられる。
【００４９】
そこで、タイミング制御部４０２は、撮像素子４ｄに対して画素毎に露光時間を制御し、画素サイズが変化する境界部分でも受光量が連続的に変化するよう露光時間を変える。図１０（ｂ）は、例えば３つの画素を一つのグループとして６つの画素の画素サイズが画素ｃと画素ｄを境界として１段階だけ変化した場合の露光時間を示している。タイミング制御部４０２は、画素サイズの境界部分での受光量の急激な変化を抑えるために、露光時間を徐々に変える。タイミング制御部４０２は、画素サイズの境界である画素ｃと画素ｄの露光時間の比を、画素ｃと画素ｄの受光領域４５０の面積比の逆数に近い値に設定することにより、受光量の変化をなだらかにする。
【００５０】
このように、画像読取装置１２は、タイミング制御部４０２が光源１０２の駆動を制御することによって露光時間を制御することにより、読取画像にスジが発生する等の画質の劣化を防止する。また、画像読取装置１２は、小型化及び低消費電力化が進められることにより、光源１０２から撮像素子４までの距離が短くなり、原稿からの反射光のレンズ入射角が大きくなってシェーディング特性が悪化しやすくなっても、画質の劣化が防止される。即ち、画像読取装置１２は、画素の一方向の配列上の位置に応じてそれぞれ受光領域の面積が異なることにより、撮像素子４の端部で受光量が低下することを防止されるので、画質劣化の防止や、光源１０２の光量低減による低コスト化、低電力化及び低発熱化を可能にする。
【００５１】
以上、実施形態について説明したが、それらの各部の具体的な構成等は、実施形態で説明したものに限るものではない。また、以上説明してきた実施形態の構成は、相互に矛盾しない限り任意に組み合わせて実施可能であることは勿論である。
【符号の説明】
【００５２】
１  画像形成装置
２  給紙部
３  画像形成部
４  撮像素子
１０  自動原稿搬送装置（ＡＤＦ）
１２  画像読取装置
１００  スキャナ
１２０  ＡＤＦ
４００  発振器
４０２  タイミング制御部
４０４  アナログ処理部
４０６  Ａ／Ｄ変換部
４０８  Ｉ／Ｆ部
４１０  画像処理部
４５０  受光領域
４６０  シールド素子
【先行技術文献】
【特許文献】
【００５３】
【特許文献１】特開２０１０−２７８６６４号公報
【図１】
2015041679.tif 000003
【図２】
2015041679.tif 000004
【図３】
2015041679.tif 000005
【図４】
2015041679.tif 000006
【図５】
2015041679.tif 000007
【図６】
2015041679.tif 000008
【図７】
2015041679.tif 000009
【図８】
2015041679.tif 000010
【図９】
2015041679.tif 000011
【図１０】
2015041679.tif 000012